(57)【要約】      （修正有）【課題】力が弱く身体機能が低くても、簡単にゲームを楽しみながら創作活動が出来るゲームセットを提供する。【解決手段】一つ以上の部材と、ベースシート１ａとからなるゲームセット１であって、前記部材は、暦と、季節の植物、行事、文化、物語、又は、人物、動物が、少なくとも１つ、或いはこれらを組み合わせて、文字又は絵図で描かれており、前記ベースシートは、前記部材を組み合わせ並べて絵や表を構成しながら貼付又は、はめ込むことができる。【選択図】図１
0003225655.tif 000002
【実用新案登録請求の範囲】
【請求項１】
暦と、季節の植物、行事、文化、物語等の少なくとも１つ或いはこれらを組み合わせて表現した文字、絵図等が分割されてなる一つ以上の部材と、前記部材らを組み合わせ並べて絵や表を構成しながら貼付又ははめ込むためのベースシートとを組み合わせたことを特徴とするゲームセット。
【請求項２】
ベースシートには、暦と、季節の植物、行事、文化、物語等の少なくとも１つ或いはこれらを組み合わせて表現した、表、文字、数字、絵、図形等の少なくとも１つ或いはこれらを組み合わせたものが、予め描かれているか或いは、はめ込み式の枠などになっていることを特徴とする請求項１記載のゲームセット。
【請求項３】
暦、絵、文字、数字、図形、写真、植物、吹き出し等の少なくとも１つ、或いはこれらを組み合わせて表現した部材であることを特徴とする請求項１または２記載のゲームセット。
【考案の詳細な説明】
【技術分野】
【０００１】  この考案は、ゲームセットに関するものであり、さらに詳しくは、ゲームを楽しみながら、力が弱く身体機能が低くても表現作品が創作出来、また文化等を知ることができるゲームセットに関するものである。
【背景技術】
【０００２】  従来、高齢者や障がい者の創作活動やリハビリ、幼児教育などには、書道や塗り絵、絵画、計算問題などがある。しかしながら、塗り絵や書道などを行う場合は筆を握る力、色を塗る又は書くときは筆圧、筆を持ち書く動作の時は手を支える力が必要である。それに加え、高齢者や障がい者は手の震えや、何等かの病気による身体能力欠損により利き腕が使用できないなど創作活動の実施に困難さが見られる。【０００３】  また、書道や塗り絵、絵画、計算問題は、高齢による判断力の機能低下、幼児は理解力不足により、出題されたものが出来ないこともあり、それにより自信喪失や羞恥心が発生し、活動への抵抗、拒否となり、活動不足、身体機能の低下につながる問題点があった。
【考案の概要】
【考案が解決しようとする課題】
【０００４】  高齢者や幼児は、書道や塗り絵、絵画、計算問題等は理解力や身体的に困難さが出現する事があり、また、道具の準備も負担である。従って、創作物を部材とベースシートを組み合わせたゲームにすることにより、簡単に表現物の創作活動が出来、前途のような問題点を解決しようとするものである。
【課題を解決するための手段】
【０００５】  本考案のゲームセットは、請求項１記載の通り、暦と、季節の植物、行事、文化、物語等の少なくとも１つ或いはこれらを組み合わせて表現した文字、絵図等が分割されてなる一つ以上の部材と、前記部材らを組み合わせ並べて絵や表を構成しながら貼付又ははめ込むためのベースシートとを組み合わせたことを特徴としている。【０００６】ベースシートには、暦と、季節の植物、行事、文化、物語等の少なくとも１つ或いはこれらを組み合わせて表現した、表、文字、数字、絵、図形等の少なくとも１つ或いはこれらを組み合わせたものが、予め描かれているか或いは、はめ込み式の枠などになっていることを特徴としている。【０００７】    暦、絵、文字、数字、図形、写真、植物、吹き出し等の少なくとも１つ、或いはこれらを組み合わせて表現した部材であることを特徴としている。【０００８】  請求項２のベースシートには請求項３の部材と同じ形状のものを予定位置とした予定位置形状エリアを設け、部材を予定位置形状エリアに貼付又ははめ込むことを特徴としている。【０００９】  ベースシート上の、予定位置形状エリアを設けない場合は、完成見本を組み合わせたことを特徴とする。
【考案の効果】
【００１０】  この考案のゲームセットは、筋力低下や理解力低下により塗り絵や書道が困難になった高齢者、障がい者、幼児が簡単な動作で絵や図形、数字や文字の一つ以上の部材をベースシートに貼付、またははめ込むことで、合わせゲームとして簡単に楽しみながら絵画や暦表等を創作することが出来、さらに、出来上がったことへの達成感を得られる。また、貼付又ははめ込む動作によって、指先を動かす、部材の絵や図等を組み合わせ、ベースシートに構成することで、観察や推理や空間の距離を考えるなどの機会を付与し、高齢者、障がい者、幼児の身体的活動量を上げることに役立つ。【００１１】  本考案のゲームによって、絵図、暦表、壁飾り、ポスター、カード、冊子等の表現物を作り上げることで、自分を表現することや、さらに、ゲームセットの絵図に、暦の儀礼、祝日、旬、季節、行事、文化、物語等少なくとも１つ或いはこれらを組み合わせて表現し、分割した部材と、それらに関する文章の部材を組み合わせシートに貼付又ははめ込むことでゲームとして楽しみながら、暦の儀礼、祝日、旬、季節、行事、文化、物語等の知識を得ることや回想ゲームを楽しめ、また、完成した複数のゲームセットを綴じて冊子とすることで、絵本又はアルバム又は歌詞カード集等を作ることが出来、さらに創作活動を有意義にする効果がある。【００１２】  本考案のはめ込み式のゲームセットは万年カレンダーともなり、取り外し可能で繰り返し使用が出来、経済的にも良く、ゴミの削減に効果がある。
【図面の簡単な説明】
【００１３】
【図１】本考案のゲームセットの予定位置形状エリアを設けたベースシートと部材の正面図。
【図２】予定位置形状エリアを設けない場合のベースシートと完成見本の正面図。
【図３】複数のゲームセットを綴じ合わせた冊子の斜視図。
【図４】はめ込み式ゲームセットの完成正面図。
【図５】はめ込み式ゲームセットの斜視図。
【考案を実施するための形態】
【００１４】  暦と、季節の植物、行事、文化、物語等の少なくとも１つ或いはこれらを組み合わせて表現した絵図が分割されてなる一つ以上の部材と、前記部材を組み合わせ並べて、暦表や絵図を構成しながら貼付又ははめ込むための表や図がプリントされた、または、はめ込みスペースのあるベースシートを組み合わせてあり、分割された一つ以上の部材を、ベースシートに部材と同じ形状のものを予定位置とした、予定位置形状エリアを設けたものに、貼付又ははめ込む、又はベースシート上の予定位置形状エリアを設けない場合は、完成見本を見ながら部材をベースシートに貼付又ははめ込む、型合わせゲームのセットとなる。部材とベースシートを貼り付け又ははめ込むことで絵画、暦表、壁飾り、ポスター、カード等の表現物や、ゲームセットを複数綴じることで冊子となる。
【実施例１】
【００１５】  以下、添付図面に従って一事例を説明する。図１は、ゲームセットの一様態を示す正面図であり、一例として９月の暦表と日本の文化風景の絵図を表しており、１ａは４ａの背景等と４ｂの部材予定位置形状エリアと４ｃの暦表がプリントされたベースシートであり、２ａは絵図が分割されてなる多数の分割片の部材である。２ｂは文章などを記入できる吹き出し型部材、３ａは月数字を表した部材、３ｂは七曜を表した部材、３ｃは日付を表した部材、３ｄは祝日を表した部材の平面図である。ゲームをするものは、１ａの４ｂの部材予定位置形状エリアを確認し、２ａ、２ｂ、３ａ、３ｂ、３ｃ、３ｄの各部材を予定位置形状エリアに合わせ、置くことや糊等で貼付するなどして、絵図や暦表を構成していく。４ｂの予定位置形状エリアの位置は特に限定はされないが、絵図の構成によって配置することが好適である。図形や数字を合わせ、完成絵図を想像する推理力を培い、ゲームを楽しみ絵図と暦表を創作出来るようになっている。
【実施例２】
【００１６】  図２は、一実施例として、１ｂのように４ａと４ｃは表しているが、１ａのような４ｂはプリントせず、５を見ながら、図１の２ａ、２ｂ、３ａ、３ｂ、３ｃ、３ｄの部材を貼付する。完成絵図の想像と、より高度な観察力、推察力、空間認知を要するため、使用者のレベルに適し、好みや自由度が増したゲームセットを提供しうるといえる。広い年齢層の幼児、高齢者の能力や身体特徴別としたゲームセットを提供することが出来る。
【実施例３】
【００１７】  図３は、本考案のゲームセットのさらに他の態様を示すもので、ゲームセットに実用性も共に備えた冊子６の斜視図である。完成させたゲームセットに３ｅの写真や歌詞の文章がプリントされた部材や２ｂの吹き出し部材に日記を記し貼付したものを複数綴じ合わせ、アルバム冊子や歌詞カード冊子集としたものである。他に物語の文字が記された部材を貼付したゲームセットを複数綴じ合わせ、絵本にしても良い。
【実施例４】
【００１８】  図３のアルバム冊子を使用して次のようにゲームをすることも出来る。外出の予定があるのであれば、その外出する月のゲームセットで暦表を作り、行先の写真と行き先と関連の無い写真がプリントされた部材を用意し、いつ、どこへ外出に行くかクイズを出し、関連のある絵の部材を選び貼付するなどする。先の予定の楽しみも持て、高齢者や幼児が楽しめるスケジュールの確認手段ともなる。又は、図３の絵本や歌詞カード冊子集６を使用して次のようにゲームをすることも出来る。各絵図に合わせた文章の部材を複数用意し、冊子の絵図と内容の合う部材を選択するカルタゲームとしても使用できる。
【実施例５】
【００１９】  図４は、はめ込み式ゲームセットの一様態を示す完成平面図であり、一例として９月の暦と季節の植物の装飾を表しており、９月が記された８ａを表に出し、それ以外の月は部材の裏の無地又は色付けした面を表としてはめ込んでいる。日付のはめ込み穴は６週分の４２カ所設け、日付を記した３１個の部材と無地又は着色した１１個の部材からなり、日付を記した部材は両面に日付数字をプリントし、表裏で違う色に着色したものにし休日と平日の区別をする。例えば、平日は白色にし、休日は赤色にし、休日の日付部材は赤色の面を表にはめ込む。曜日の部材の表面は漢字で記し、裏面は英字で記し、好みで表側にするほうを選択しはめ込んで良い。日曜日の部材は必ず左端でなくても良い。ベースシートの右下の３カ所の７ｂのはめ込み穴は蓋がしてあり、２９、３０、３１の日付の部材を使用しない月はベースシートの裏から格納できるようになっている。日付以外のはめ込み穴部分は、日付数字の記していない部材をはめ込む。
【実施例６】
【００２０】  図５は、はめ込み式ゲームセットの一様態を示す完成斜視図であり、一例として９月の暦と季節の植物の装飾を表しており、暦の数字の部材８ａを順に適切な７ｄの箇所にはめ込むことや、９、１０の絵図など装飾部材をはめ込むことで、好みの絵図や季節の花を楽しみながら、はめ込み型ゲームが出来る。９の部材は好きな写真や絵図を装飾する部材となり、９ｃの台座に９ｂの好みの写真や絵をのせ、上から９ａの枠で挟み、９ｂを固定させ、７ｃのはめ込み部分にはめ込む、１０は花入れの部材となり、１０ｂのはめ込み部材に１０ａの瓶を固定する部位を設け、１０ａの瓶を差し込む、１０を７ｃにはめ込み好みの植物を装飾することが出来る。植物は加工されているものでも良い。
【実施例７】
【００２１】  図４、５の７を使用して次のようにゲームも出来る。９の装飾部材を使用する場合は、一例として、９月の暦のゲームセットであれば、本などから９月に関連する写真や絵図を選択し、それをプリントし９の部材に装飾する。１０の装飾部材を使用する場合は、一例として、９月の暦のゲームセットであれば、野外で９月の植物を採取し、それを装飾部材に入れはめ込む。季節に関連するものの知識と飾る楽しみも得られ、あらゆる年齢層のレクリエーション等に便利に利用できる。
【実施例８】
【００２２】  図１から図５までのゲームセットの材質や、のベースシート、の部材形状に特に制限はなく、また一つのベースシートに複数の絵図や暦表を示しても良く、また絵図と暦表を別々のベースシート、或いは、はめ込み式でないものは裏表に絵図と暦表を分けても良い。
【産業上の利用可能性】
【００２３】  超高齢社会による、高齢者の身体機能、認知機能の維持は必要である。また、日本の文化や行事の伝承機会も薄れてきている。高齢者や幼児、または、介護や保育の現場のアクティビティツール、または病院などのリハビリツールとして非常に便利に利用できる。
【符号の説明】
【００２４】  １  ゲームセット本体
１ａ予定位置形状エリア付きベースシート
１ｂ予定位置形状エリア無ベースシート
２ａ絵部材
２ｂ吹き出し部材
３ａ暦月部材
３ｂ暦曜日部材
３ｃ暦日付部材
３ｄ祝日文字
３ｅ写真、文章部材
４ａ背景図
４ｂ部材予定位置形状エリア
４ｃ暦表
５  完成見本
６  冊子
７  はめ込み式ゲームセット
７ａはめ込み式ベースシート
７ｂ蓋
７ｃ装飾部材はめ込み部分
７ｄ部材はめ込み穴
８ａはめ込み式暦部材
９  はめ込み式装飾額部材
９ａ枠
９ｂ絵又は写真
９ｃ額後方部材
１０はめ込み式装飾花瓶部材
１０ａ瓶
１０ｂ瓶固定部材
【図１】
0003225655.tif 000003
【図２】
0003225655.tif 000004
【図３】
0003225655.tif 000005
【図４】
0003225655.tif 000006
【図５】
0003225655.tif 000007
【手続補正書】
【提出日】令和1年12月29日(2019.12.29)
【手続補正１】
【補正対象書類名】実用新案登録請求の範囲
【補正対象項目名】全文
【補正方法】変更
【補正の内容】
【実用新案登録請求の範囲】
【請求項１】
一つ以上の部材と、ベースシートとからなるゲームセットであって、前記部材は、暦と、季節の植物、行事、文化、物語、又は、人物、動物が、少なくとも１つ、或いはこれらを組み合わせて、文字又は絵図で描かれており、前記ベースシートは、前記部材を組み合わせ並べて絵や表を構成しながら貼付又は、はめ込むことができることを特徴とするゲームセット。
【請求項２】
ベースシートには、暦と、季節の植物、行事、文化、物語、又は、人物、動物の、少なくとも１つ、或いはこれらを組み合わせて表現した、表、文字、数字、絵、図形の少なくとも一つ或いはこれらを組み合わせたものが、予め描かれているか或いは、はめ込み式の枠になっていることを特徴とする請求項１記載のゲームセット。
【請求項３】
前記部材は、暦、絵、文字、数字、図形、写真、植物、吹き出し、又は、物品の少なくとも１つ、或いはこれらを組み合わせたものであることを特徴とする請求項１又は２記載のゲームセット。